(57)【要約】【課題】水深の深い場所の堆砂を回収でき且つ水の汚濁を抑制できる浚渫装置を提供することを目的とする。【解決手段】浚渫装置は、水底に配置される吸引ノズルと、水中に配置される筐体と、筐体の内部に配置される第１圧送ポンプと、一端が吸引ノズルに接続され且つ他端が筐体に接続される第１吸引管と、一端が筐体に接続され且つ他端が水上に配置される第２吸引管と、一端が第１圧送ポンプに接続され且つ他端が水上に配置される圧送管と、水上に配置され且つ第２吸引管を吸引する吸引ポンプと、を備える。【選択図】図１
2020045661.tif 000002
【特許請求の範囲】
【請求項１】
水底に配置される吸引ノズルと、
水中に配置される筐体と、
前記筐体の内部に配置される第１圧送ポンプと、
一端が前記吸引ノズルに接続され且つ他端が前記筐体に接続される第１吸引管と、
一端が前記筐体に接続され且つ他端が水上に配置される第２吸引管と、
一端が前記第１圧送ポンプに接続され且つ他端が水上に配置される圧送管と、
水上に配置され且つ前記第２吸引管を吸引する吸引ポンプと、
を備える浚渫装置。
【請求項２】
前記第２吸引管の前記一端は、前記筐体の上面に接続される請求項１に記載の浚渫装置。
【請求項３】
前記第１吸引管の前記他端から前記第２吸引管の前記一端までの距離は、前記第１吸引管の前記他端から前記圧送管の前記一端までの距離より小さい請求項１又は２に記載の浚渫装置。
【請求項４】
前記第１吸引管は、伸縮及び屈曲可能である請求項１から３のいずれか一項に記載の浚渫装置。
【請求項５】
前記吸引ノズルは、水を噴射する噴射ノズルを備える請求項１から４のいずれか一項に記載の浚渫装置。
【請求項６】
前記吸引ノズルは、筒状部を備え、
前記噴射ノズルは、前記筒状部の内部に設けられる請求項５に記載の浚渫装置。
【請求項７】
前記吸引ノズルは、吸引口を覆う格子状の防護網を備える請求項１から６のいずれか一項に記載の浚渫装置。
【請求項８】
前記第２吸引管の他端及び前記圧送管の他端に接続される回収タンクと、
一端が前記回収タンクに接続され且つ他端が前記吸引ポンプに接続される第３吸引管と、を備える請求項１から７のいずれか一項に記載の浚渫装置。
【請求項９】
前記回収タンクから土砂を排出する第２圧送ポンプを備える請求項８に記載の浚渫装置。
【請求項１０】
前記回収タンクから排出された土砂を脱水する脱水装置を備える請求項８又は９に記載の浚渫装置。
【請求項１１】
前記回収タンクは、台船の上に配置される請求項８から１０のいずれか一項に記載の浚渫装置。
【請求項１２】
前記吸引ノズルを昇降させる第１昇降装置を備える請求項１から１１のいずれか一項に記載の浚渫装置。
【請求項１３】
前記筐体を昇降させる第２昇降装置を備える請求項１から１２のいずれか一項に記載の浚渫装置。
【発明の詳細な説明】
【技術分野】
【０００１】
本発明は、浚渫装置に関する。
【背景技術】
【０００２】
河川、運河、湖、沈砂池、又は貯水池等の水中の底部に堆積した堆砂を取り除く浚渫方法として、水中サンドポンプによる流体輸送方法（特許文献１参照）等が知られている。
【先行技術文献】
【特許文献】
【０００３】
【特許文献１】特開２０１５−４７５２２号公報
【発明の概要】
【発明が解決しようとする課題】
【０００４】
しかしながら、特許文献１の浚渫方法では、水深の深い場所の堆砂を回収できるものの、堆積した堆砂を掘削攪拌してから吸引する必要があるため、作業環境が汚濁する。
【０００５】
本開示は、上記に鑑みてなされたものであって、水深の深い場所の堆砂を回収でき且つ水の汚濁を抑制できる浚渫装置を提供することを目的とする。
【課題を解決するための手段】
【０００６】
上述した課題を解決し、目的を達成するために、本開示の一様態は、水底に配置される吸引ノズルと、水中に配置される筐体と、筐体の内部に配置される第１圧送ポンプと、一端が吸引ノズルに接続され且つ他端が筐体に接続される第１吸引管と、一端が筐体に接続され且つ他端が水上に配置される第２吸引管と、一端が第１圧送ポンプに接続され且つ他端が水上に配置される圧送管と、水上に配置され且つ第２吸引管を吸引する吸引ポンプと、を備える浚渫装置である。
【０００７】
なお、上記の浚渫装置の様態において、第２吸引管の一端は、筐体の上面に接続されることが好ましい。
【０００８】
なお、上記の浚渫装置の様態において、第１吸引管の他端から第２吸引管の一端までの距離は、第１吸引管の他端から圧送管の一端までの距離より小さいことが好ましい。
【０００９】
なお、上記の浚渫装置の様態において、第１吸引管は、伸縮及び屈曲可能であることが好ましい。
【００１０】
なお、上記の浚渫装置の様態において、吸引ノズルは、水を噴射する噴射ノズルを備えることが好ましい。
【００１１】
なお、上記の浚渫装置の様態において、吸引ノズルは、筒状部を備え、噴射ノズルは、筒状部の内部に設けられることが好ましい。
【００１２】
なお、上記の浚渫装置の様態において、吸引ノズルは、吸引口を覆う格子状の防護網を備えることが好ましい。
【００１３】
なお、上記の浚渫装置の様態において、第２吸引管の他端及び圧送管の他端に接続される回収タンクと、一端が回収タンクに接続され且つ他端が吸引ポンプに接続される第３吸引管と、を備えることが好ましい。
【００１４】
なお、上記の浚渫装置の様態において、回収タンクから土砂を排出する第２圧送ポンプを備えることが好ましい。
【００１５】
なお、上記の浚渫装置の様態において、回収タンクから排出された土砂を脱水する脱水装置を備えることが好ましい。
【００１６】
なお、上記の浚渫装置の様態において、回収タンクは、台船の上に配置されることが好ましい。
【００１７】
なお、上記の浚渫装置の様態において、吸引ノズルを昇降させる第１昇降装置を備えることが好ましい。
【００１８】
なお、上記の浚渫装置の様態において、筐体を昇降させる第２昇降装置を備えることが好ましい。
【発明の効果】
【００１９】
本開示によれば、水深の深い場所の泥を回収でき且つ水の汚濁を抑制できるという効果を奏する。
【図面の簡単な説明】
【００２０】
【図１】図１は、第１実施形態の浚渫装置を示す模式図である。
【図２】図２は、図１の主要部を示す模式図である。
【図３】図３は、吸引ノズルを示す模式断面図である。
【図４】図４は、吸引ノズルの吸引口を示す模式拡大図である。
【図５】図５は、第２実施形態の浚渫装置を示す模式図である。
【図６】図６は、第２実施形態の浚渫装置の変形配置例を示す模式図である。
【図７】図７は、第３実施形態の浚渫装置を示す模式図である。
【発明を実施するための形態】
【００２１】
以下に、本発明に係る浚渫装置の実施形態について図面に基づいて詳細に説明する。なお、本発明は、以下の実施形態の記載に限定されるものではない。また、以下の実施形態における構成要素には、当業者が置換可能且つ容易なもの、あるいは実質的に同一のものが含まれる。さらに、以下に記載した構成要素は適宜組み合わせることが可能である。なお、以下の実施形態の説明において、同一構成には同一符号を付し、異なる構成には異なる符号を付すものとする。
【００２２】
（第１実施形態）
図１は、第１実施形態の浚渫装置を示す模式図である。図２は、図１の主要部を示す模式図である。図３は、吸引ノズルを示す模式拡大図である。図４は、吸引ノズルを示す模式断面図である。第１実施形態の浚渫装置１０は、河川、運河、湖、沈砂池、又は貯水池等の水中の底部に堆積した堆砂を浚渫する装置である。堆砂は、比重及び粘性の高い汚泥及び泥土等を含む。浚渫装置１０は、堆砂の水中吸引、鉛直搬送及び水平搬送を一貫して連続的に行う。第１実施形態において、浚渫装置１０は、貯水池Ｗの底部に堆積した堆砂Ｄを浚渫する。浚渫装置１０は、吸引ノズル２０と、中間ユニット３０と、回収タンク４０と、吸引ポンプ５０と、第１吸引管６０と、第２吸引管７０と、第３吸引管８０と、圧送管９０と、昇降装置１００と、第２圧送ポンプ１１０と、脱水装置１２０と、搬送管１３０と、を備える。浚渫装置１０において、昇降装置１００は、貯水池Ｗに浮かぶ台船Ｂの上に配置される。回収タンク４０、吸引ポンプ５０、第２圧送ポンプ１１０及び脱水装置１２０は、陸部Ｇに配置される。
【００２３】
吸引ノズル２０は、貯水池Ｗの水底に配置される。図２に示すように、吸引ノズル２０は、一端２０Ａに吸引口２２を有する。吸引口２２は、貯水池Ｗの水底に堆積した堆砂Ｄに挿入される。吸引ノズル２０は、吸引口２２から堆砂Ｄを吸引する。吸引ノズル２０の他端２０Ｂは、第１吸引管６０の一端６０Ａに対して接続される。吸引ノズル２０と第１吸引管６０との間の隙間は密閉される。吸引ノズル２０に吸引された堆砂Ｄは、土砂Ｄ１として第１吸引管６０を通って第１吸引管６０の他端６０Ｂの方向に搬送される。
【００２４】
図３は、吸引ノズルを示す模式断面図である。図３に示すように、吸引ノズル２０は、筒状部２０Ｔと、噴射ノズル２４と、を備える。噴射ノズル２４は、吸引ノズル２０において土砂Ｄ１の流路となる筒状部２０Ｔの内部に設けられる。噴射ノズル２４は、吸引ノズル２０の内部から吸引口２２に向かって水を噴射する。これにより、噴射ノズル２４による噴射水は、吸引口２２から吸引できない大きさの、流木、泥岩の塊等の異物を吸引口２２から離間させる。噴射水の圧力は、吸引ノズル２０による吸引力より大きい。噴射ノズル２４は、噴射方向が可変であることが好ましい。これにより、噴射ノズル２４は、吸引口２２の全体に向かって水を噴射できる。噴射ノズル２４を駆動する駆動装置は、例えば、貯水池Ｗの水上に配置される。噴射ノズル２４は、水供給管２６から水が供給される。水供給管２６は、例えば、貯水池Ｗから水が供給されてもよい。
【００２５】
図４は、吸引ノズルを示す模式拡大図である。図４に示すように、吸引ノズル２０は、防護網２８を備える。防護網２８は、格子状の網である。防護網２８は、吸引口２２を覆う。防護網２８は、吸引ノズル２０内への異物混入を抑制する。防護網２８の網目は、図１及び図２に示す圧送管９０の内径の１／３未満であることが好ましい。これにより、圧送管９０の内径の１／３以上の大きさの異物の混入を抑制する。
【００２６】
図２に示すように中間ユニット３０は、略直方体の筐体３２と、第１圧送ポンプ３４と、を備える。筐体３２は、貯水池Ｗの水中に配置される。筐体３２の内部は、貯水池Ｗの水中から密閉される。筐体３２は、開口３２Ａ及び開口３２Ｂを有する。開口３２Ａは、筐体３２の底面に配置される。開口３２Ａは、筐体３２の側面に配置されてもよい。筐体３２は、開口３２Ａにおいて第１吸引管６０の他端６０Ｂに対して接続される。筐体３２と第１吸引管６０との隙間は密閉される。筐体３２は、第１吸引管６０を介して吸引ノズル２０に接続される。筐体３２は、第１吸引管６０によって搬送された土砂Ｄ１を回収する。開口３２Ｂは、筐体３２の上面に配置される。筐体３２は、開口３２Ｂにおいて第２吸引管７０の一端７０Ａに対して接続される。筐体３２と第２吸引管７０との隙間は密閉される。第１圧送ポンプ３４は、筐体３２の内部に配置される。第１圧送ポンプ３４は、例えば容積式スラリーポンプである。第１圧送ポンプ３４は、圧送管９０の一端９０Ａに対して接続される。第１圧送ポンプ３４と圧送管９０との隙間は密閉される。第１圧送ポンプ３４は、土砂Ｄ１を圧送管９０に圧送する。筐体３２に回収された土砂Ｄ１は、土砂Ｄ２として圧送管９０を通って圧送管９０の他端９０Ｂの方向に搬送される。筐体３２に回収された土砂Ｄ１の一部は、土砂Ｄ２として第２吸引管７０を通って第２吸引管７０の他端７０Ｂの方向に搬送される。
【００２７】
回収タンク４０は、貯水池Ｗの水上に配置される。回収タンク４０の内部は、外気から密閉される。回収タンク４０は、第２吸引管７０の他端７０Ｂに対して接続される。回収タンク４０と第２吸引管７０との隙間は密閉される。回収タンク４０は、第２吸引管７０を介して筐体３２に接続される。回収タンク４０は、第２吸引管７０によって搬送された土砂Ｄ２を回収する。回収タンク４０は、圧送管９０の他端９０Ｂに対して接続される。回収タンク４０と圧送管９０との隙間は密閉される。回収タンク４０は、圧送管９０及び第１圧送ポンプ３４を介して筐体３２に接続される。回収タンク４０は、圧送管９０によって搬送された土砂Ｄ２を回収する。回収タンク４０は、第３吸引管８０の一端８０Ａに対して接続される。回収タンク４０と第３吸引管８０との隙間は密閉される。
【００２８】
吸引ポンプ５０は、貯水池Ｗの水上に配置される。吸引ポンプ５０は、例えば真空ポンプである。吸引ポンプ５０の吸気口５０Ａにおける最大風量は、例えば１００ｍ３／ｍｉｎである。吸引ポンプ５０の吸気口５０Ａは、第３吸引管８０の他端８０Ｂに対して接続される。吸引ポンプ５０と第３吸引管８０との隙間は密閉される。吸引ポンプ５０は、第３吸引管８０を介して回収タンク４０に接続される。
【００２９】
第１吸引管６０、第２吸引管７０及び第３吸引管８０の内径は、圧送管９０の内径より大きい。第１吸引管６０、第２吸引管７０及び第３吸引管８０の内径は、例えば２００ｍｍである。圧送管９０の内径は、例えば１００ｍｍである。
【００３０】
吸引ポンプ５０は、第３吸引管８０を及び回収タンク４０介して第２吸引管７０を吸引する。これにより、筐体３２、第１吸引管６０及び吸引ノズル２０の内部は、負圧を維持される。筐体３２の内部は、高い真空度を維持することが好ましい。吸引ポンプ５０は、負圧によって、吸引ノズル２０に堆砂Ｄを吸引させ、吸引ノズル２０から筐体３２まで土砂Ｄ１を搬送させる。筐体３２は、吸引ノズル２０の吸引口２２から第１高さｈ１となる位置に設置される。ここで、負圧による吸引が可能な高さは、トリチェリの真空原理により、絶対真空条件下であっても１０ｍ（７６０ｍｍＨｇ）である。したがって、第１高さｈ１は、１０ｍ未満であり、８ｍ以下であることが好ましい。
【００３１】
第１圧送ポンプ３４は、筐体３２内部の土砂Ｄ１を圧送管９０に圧送する。第１圧送ポンプ３４は、筐体３２から回収タンク４０まで土砂Ｄ２を圧送する。第１圧送ポンプ３４が筐体３２の内部の土砂Ｄ１を押す力は、吸引ポンプ５０が筐体３２の内部の空気を引く力よりも大きい。回収タンク４０は、圧送管９０の他端９０Ｂが筐体３２から第２高さｈ２となる位置に設置される。第２高さｈ２は、例えば１５ｍである。第２高さｈ２、及び第１圧送ポンプ３４から圧送管９０の他端９０Ｂまでの水平距離ｈ３は、第１圧送ポンプ３４の性能に依存する。回収タンク４０は、水平距離ｈ３が１００ｍ以上となる位置に設置されることもできる。
【００３２】
第１実施形態において、筐体３２における第１吸引管６０の他端６０Ｂから第２吸引管７０の一端７０Ａまでの距離は、第１吸引管６０の他端６０Ｂから圧送管９０の一端９０Ａまでの距離より小さい。これにより、第１吸引管６０の他端６０Ｂから第２吸引管７０の一端７０Ａに向かう気流が発生する。第２吸引管７０の内部は、吸引ポンプ５０による吸引によって、一端７０Ａから他端７０Ｂに向かう気流が発生している。筐体３２に回収された土砂Ｄ１の一部は、第２吸引管７０の内部の気流に乗って、土砂Ｄ２として回収タンク４０まで搬送される。
【００３３】
図１に示す昇降装置１００は、第１実施形態において、テレスコクラムバックホウである。昇降装置１００は、本体１０２と、本体１０２に対して搖動可能なブーム１０４と、ブーム１０４に対して搖動可能且つ伸縮可能なアーム１０６と、を有する。アーム１０６の先端部は、中間ユニット３０の筐体３２に固定されている。昇降装置１００は、アーム１０６を伸縮させることによって吸引ノズル２０、第１吸引管６０及び筐体３２を昇降させる。昇降装置１００は、筐体３２を貯水池Ｗの水中に支持し、吸引ノズル２０の吸引口２２を貯水池Ｗの水底の堆砂Ｄに挿入させる。
【００３４】
第２圧送ポンプ１１０は、例えば容積式スラリーポンプである。第２圧送ポンプ１１０は、回収タンク４０の排出部４２及び搬送管１３０の一端１３０Ａに対して接続される。第２圧送ポンプ１１０は、回収タンク４０の排出部４２から土砂Ｄ２を取り込み、搬送管１３０の他端１３０Ｂの方向に圧送する。回収タンク４０に回収された土砂Ｄ２は、土砂Ｄ３として搬送管１３０を通って搬送管１３０の他端１３０Ｂの方向に搬送される。
【００３５】
脱水装置１２０は、搬送管１３０の他端１３０Ｂに対して接続される。脱水装置１２０は、搬送管１３０によって搬送された土砂Ｄ３を回収し、土砂Ｄ３を固体と水とに分離する固液分離を行う。分離された固体は、例えば排砂地等に運ばれる。分離された水は排水処理設備等で浄化した後、例えば貯水池Ｗに戻される。第１実施形態において、回収タンク４０に回収された土砂Ｄ２は、脱水装置１２０によって脱水されたが、例えば天日乾燥処理設備等によって脱水されてもよい。
【００３６】
以上説明したように、第１実施形態の浚渫装置１０は、水底に配置される吸引ノズル２０と、水中に配置される筐体３２と、筐体３２の内部に配置される第１圧送ポンプ３４と、一端６０Ａが吸引ノズル２０に接続され且つ他端６０Ｂが筐体３２に接続される第１吸引管６０と、一端７０Ａが筐体３２に接続され且つ他端７０Ｂが水上に配置される第２吸引管７０と、一端９０Ａが第１圧送ポンプ３４に接続され且つ他端９０Ｂが水上に配置される圧送管９０と、水上に配置され且つ第２吸引管７０を吸引する吸引ポンプ５０と、を備える。
【００３７】
これにより、浚渫装置１０は、吸引ポンプ５０の吸引によって、吸引ノズル２０から中間ユニット３０の筐体３２まで浚渫し、第１圧送ポンプ３４の圧送によって、筐体３２から水上まで浚渫する。すなわち、重い堆砂Ｄ（土砂Ｄ１）の回収を吸引で行い、高楊程の土砂Ｄ２の搬送を圧送で行うので、水深の深い場所の泥を回収でき且つ水の汚濁を抑制できる。また、吸引した土砂Ｄ１に余分な水が含まれず、含泥率２０〜５０％程度の高濃度で回収できる。
【００３８】
浚渫装置１０は、第２吸引管７０の一端７０Ａが、筐体３２の上面に接続される。
【００３９】
このような浚渫装置１０によれば、土砂Ｄ１によって第２吸引管７０が塞がることを抑制できる。
【００４０】
浚渫装置１０は、第１吸引管６０の他端６０Ｂから第２吸引管７０の一端７０Ａまでの距離が、第１吸引管６０の他端６０Ｂから圧送管９０の一端９０Ａまでの距離より小さい。
【００４１】
このような浚渫装置１０によれば、吸引ノズル２０から第１吸引管６０、筐体３２及び第２吸引管７０を通って第２吸引管７０の他端７０Ｂに向かう気流が発生する。これにより、第２吸引管７０は、筐体３２に回収された土砂Ｄ１の一部を搬送することができる。
【００４２】
浚渫装置１０は、吸引ノズル２０が、水を噴射する噴射ノズル２４を備える。
【００４３】
このような浚渫装置１０によれば、噴射水の圧力が吸引口２２から流木、泥岩等の塊を遠ざけるので、吸引口２２の異物による閉塞を抑制することができる。
【００４４】
浚渫装置１０は、吸引ノズル２０が、筒状部２０Ｔを備え、噴射ノズル２４が、筒状部２０Ｔの内部に設けられる。
【００４５】
このような浚渫装置１０によれば、より好適に吸引口２２の異物による閉塞を抑制することができる。
【００４６】
浚渫装置１０は、吸引ノズル２０が、吸引口２２を覆う格子状の防護網２８を備える。
【００４７】
このような浚渫装置１０によれば、吸引ノズル２０への異物混入による第１吸引管６０、第２吸引管７０および圧送管９０内部の閉塞を抑制することができる。
【００４８】
浚渫装置１０は、第２吸引管７０の他端７０Ｂ及び圧送管９０の他端９０Ｂに接続される回収タンク４０と、一端８０Ａが回収タンク４０に接続され且つ他端８０Ｂが吸引ポンプ５０に接続される第３吸引管８０と、を備える。
【００４９】
このような浚渫装置１０によれば、土砂Ｄ２が回収タンク４０に回収されるので、吸引ポンプ５０への土砂Ｄ２の侵入を抑制できる。
【００５０】
浚渫装置１０は、回収タンク４０から土砂Ｄ２を排出する第２圧送ポンプ１１０を備える。
【００５１】
このような浚渫装置１０によれば、回収タンク４０に回収された土砂Ｄ２を順次排出するので、吸引ポンプ５０及び第１圧送ポンプ３４による浚渫効率を維持することができる。
【００５２】
浚渫装置１０は、回収タンク４０から排出された土砂Ｄ３を脱水する脱水装置１２０を備える。
【００５３】
このような浚渫装置１０によれば、排出した土砂Ｄ３をより好適に処理することができる。
【００５４】
（第２実施形態）
図５は、第２実施形態の浚渫装置を示す模式図である。図５に示す浚渫装置１０Ａにおいて、図１に示す浚渫装置１０と同一の構成については同一の参照符号を付して説明を省略し、異なる構成について説明する。浚渫装置１０Ａは、浚渫装置１０における第１吸引管６０と、昇降装置１００との代わりに、第１吸引管６０Ｆと、第１昇降装置１４０及び第２昇降装置１５０と、を備える。浚渫装置１０Ａにおいて、回収タンク４０、吸引ポンプ５０、第２圧送ポンプ１１０、第１昇降装置１４０と及び第２昇降装置１５０は、貯水池Ｗに浮かぶ台船Ｂの上に配置される。脱水装置１２０は、陸部Ｇに配置される。
【００５５】
第１吸引管６０Ｆは、一端２０Ａが吸引ノズル２０の他端２０Ｂに対して接続され、他端２０Ｂが筐体３２の開口３２Ａに対して接続される。吸引ノズル２０と第１吸引管６０Ｆとの隙間は密閉される。筐体３２と第１吸引管６０Ｆとの隙間は密閉される。第１吸引管６０Ｆは、図１に示す第１吸引管６０に比べ、伸縮及び屈曲可能である構成において異なる。これにより、吸引ノズル２０は、筐体３２に対して相対移動可能である。図５において開口３２Ａは、筐体３２の側面に配置されるが、筐体３２の底面に配置されてもよい。
【００５６】
第１昇降装置１４０は、第２実施形態において、テレスコクラムバックホウである。第１昇降装置１４０は、本体１４２と、本体１４２に対して搖動可能なブーム１４４と、ブーム１４４に対して搖動可能且つ伸縮可能なアーム１４６と、を有する。アーム１４６の先端部は、吸引ノズル２０に固定されている。第１昇降装置１４０は、アーム１４６を伸縮させることによって吸引ノズル２０を昇降させ、吸引ノズル２０の吸引口２２を貯水池Ｗの水底の堆砂Ｄに挿入させる。
【００５７】
第２昇降装置１５０は、第２実施形態において、テルハ型ホイスト式クレーンである。第２昇降装置１５０は、回収タンク４０の上方に設置されるレール１５２と、レール１５２上を横行するトロリ１５４と、トロリ１５４から吊下げられるウインチ１５６と、ウインチ１５６によって巻上可能なワイヤ１５８と、を有する。ワイヤ１５８の先端部は、中間ユニット３０の筐体３２に固定されている。第２昇降装置１５０は、ウインチ１５６にワイヤ１５８を巻取らせることによって筐体３２を昇降させ、筐体３２を貯水池Ｗの水中に支持する。
【００５８】
操作者は、例えば、第２昇降装置１５０によって中間ユニット３０の筐体３２を貯水池Ｗの水中における所定の位置に位置決めする。その後、第１昇降装置１４０によって吸引ノズル２０の吸引口２２を堆砂Ｄの所定の場所に挿入させ、吸引ポンプ５０及び第１圧送ポンプ３４を駆動させて浚渫を開始する。吸引口２２の周辺の堆砂Ｄが十分に吸引された場合、使用者は、第１昇降装置１４０を動作させ、吸引ノズル２０の位置を変更する。この際、筐体３２の位置は変更しない。
【００５９】
以上説明したように、第２実施形態の浚渫装置１０Ａは、第１吸引管６０Ｆが、伸縮及び屈曲可能である。
【００６０】
このような浚渫装置１０Ａによれば、筐体３２に対して吸引ノズル２０が相対的に移動可能なので、操作性が向上し、より好適に堆砂Ｄを吸引することができる。
【００６１】
浚渫装置１０Ａは、回収タンク４０が、台船Ｂの上に配置される。
【００６２】
このような浚渫装置１０Ａによれば、吸引ノズル２０と回収タンク４０との水平距離を近くすることができるので、第１圧送ポンプ３４の搬送力が向上する。または、第１圧送ポンプ３４に圧送力の低いポンプを使用することができる。
【００６３】
浚渫装置１０Ａは、吸引ノズル２０を昇降させる第１昇降装置１４０を備える。
【００６４】
このような浚渫装置１０Ａによれば、より好適に浚渫装置１０Ａを設置できる。具体的には、吸引ノズル２０をより好適に堆砂Ｄの所定の場所に挿入できるので、水深の深い場所の泥を回収でき且つ水の汚濁を抑制できる。
【００６５】
浚渫装置１０Ａは、筐体３２を昇降させる第２昇降装置１５０を備える。
【００６６】
このような浚渫装置１０Ａによれば、より好適に浚渫装置１０Ａを設置できる。具体的には、中間ユニット３０をより好適に貯水池Ｗの所定の場所に位置決めできるので、操作性が向上し、より好適に堆砂Ｄを吸引することができる。
【００６７】
（変形設置例）
図６は、第２実施形態の浚渫装置の変形配置例を示す模式図である。図６に示す浚渫装置１０Ｂにおいて、図５に示す浚渫装置１０Ａと同一の構成については同一の参照符号を付して説明を省略し、異なる構成について説明する。浚渫装置１０Ｂは、中間ユニット３０の筐体３２が、貯水池Ｗの水底に設置される。貯水池Ｗの水深が浅い場合は、筐体３２を貯水池Ｗの水底に設置することができる。浚渫装置１０Ｂは、重い堆砂Ｄ（土砂Ｄ１）の回収を吸引で行い、高楊程の土砂Ｄ２の搬送を圧送で行うので、効率的に浚渫することができる。
【００６８】
（第３実施形態）
図７は、第３実施形態の浚渫装置を示す模式図である。図７に示す浚渫装置１０Ｃにおいて、図５に示す浚渫装置１０Ａと同一の構成については同一の参照符号を付して説明を省略し、異なる構成について説明する。浚渫装置１０Ｃは、浚渫装置１０Ａにおける第２昇降装置１５０の代わりに、第２昇降装置１６０を備える。第２昇降装置１６０は、貯水池Ｗに浮かぶ台船Ｂの上に配置される。
【００６９】
第２昇降装置１６０は、第３実施形態において、クローラクレーンである。第２昇降装置１６０は、本体１６２と、本体１６２に対して搖動可能なブーム１６４と、ブーム１６４の先端から巻上可能なワイヤ１６６と、を有する。ワイヤ１６６の先端部は、中間ユニット３０の筐体３２に固定されている。第２昇降装置１６０は、ワイヤ１６６を巻取らせることによって筐体３２を昇降させ、筐体３２を貯水池Ｗの水中に支持する。
【００７０】
浚渫装置１０Ｃは、より好適に浚渫装置１０Ｃを設置できる。具体的には、中間ユニット３０をより好適に貯水池Ｗの所定の場所に位置決めできるので、操作性が向上し、より好適に堆砂Ｄを吸引することができる。
【００７１】
なお、実施形態において説明した各構成は、発明の趣旨を逸脱しない範囲で各実施形態内の他の構成と組み合わせてもよい。また、これらの各構成は、発明の趣旨を逸脱しない範囲で各実施形態とは異なる他の実施形態内の構成と組み合わせてもよい。また、発明の趣旨を逸脱しない範囲で、種々の改変を行ってもよい。
【符号の説明】
【００７２】
１０、１０Ａ、１０Ｂ、１０Ｃ  浚渫装置
２０  吸引ノズル
２２  吸引口
２４  噴射ノズル
２６  水供給管
２８  防護網
３０  中間ユニット
３２  筐体
３４  第１圧送ポンプ
４０  回収タンク
４２  排出部
５０  吸引ポンプ
６０、６０Ｆ  第１吸引管
７０  第２吸引管
８０  第３吸引管
９０  圧送管
１００  昇降装置
１１０  第２圧送ポンプ
１２０  脱水装置
１３０  搬送管
１４０  第１昇降装置
１５０、１６０  第２昇降装置
２０Ａ、６０Ａ、７０Ａ、８０Ａ、９０Ａ、１３０Ａ  一端
２０Ｂ、６０Ｂ、７０Ｂ、８０Ｂ、９０Ｂ、１３０Ｂ  他端
３２Ａ、３２Ｂ  開口
５０Ａ  吸気口
２０Ｔ  筒状部
１０２、１４２、１６２  本体
１０４、１４４、１６４  ブーム
１０６、１４６  アーム
１５２  レール
１５４  トロリ
１５６  ウインチ
１５８、１６６  ワイヤ
Ｗ  貯水池
Ｂ  台船
Ｇ  陸部
Ｄ  堆砂
Ｄ１、Ｄ２、Ｄ３  土砂
ｈ１  第１高さ
ｈ２  第２高さ
ｈ３  水平距離
【図１】
2020045661.tif 000003
【図２】
2020045661.tif 000004
【図３】
2020045661.tif 000005
【図４】
2020045661.tif 000006
【図５】
2020045661.tif 000007
【図６】
2020045661.tif 000008
【図７】
2020045661.tif 000009